(57)【要約】      （修正有）【課題】各種の大きさのドアに対応でき、安価、構造簡単なドアクローザーを提供する。【解決手段】壁３側に取り付けバンド９によって取り付けられた筒状のガイドパイプ８内で上下昇降自在に垂下され先端におもり７を付けた紐６と、この紐６を引き回すためのドア２上部の壁３側に取り付けられた縦方向に回転する滑車４ａ及びドア２の開閉時に紐６が追従するように横方向に回転する滑車４ｂで構成する滑車部４と、該滑車部４を介してドア２の自由端上部に取り付けられた紐６を係着する金具５とを備え、前記おもり７の重力を応用してドア２を常に閉じ方向へ牽引するドアクローザー１を構成している。【選択図】図１
0003108694.tif 000002
【実用新案登録請求の範囲】
【請求項１】
先端におもりを付けた紐をドアに隣接する壁面に垂設し、同紐の他端側をドア上部の壁側に取り付けられた滑車部を介してドアの自由端上部に取り付けられた金具に係着し、前記おもりの重力でドアを常に閉じ方向へ牽引するドアクローザーにおいて、
前記おもりが、前記壁面に固定して垂設された筒状のガイドパイプ内で上下昇降自在に垂下されてなることを特徴とする重力応用式ドアクローザー。
【請求項２】
前記おもりが、１又は複数個のおもりを組み合わせて構成されてなることを特徴とする請求項１に記載の重力応用式ドアクローザー。
【請求項３】
複数個の前記おもりが、それぞれおもり同士が螺着されてなることを特徴とする請求項１又は２に記載の重力応用式ドアクローザー。
【請求項４】
前記おもりが、その雌ねじ面にドライバ用溝が設けられてなることを特徴とする請求項１〜３のいずれか１項に記載の重力応用式ドアクローザー。
【考案の詳細な説明】
【技術分野】
【０００１】
一般的な家庭等のドアクローザーに係り、詳しくはおもりの重力により常にドアを閉じ方向へ牽引する重力応用式ドアクローザーに関する。
【背景技術】
【０００２】
現代社会の建築様式は洋風化し、部屋を仕切る扉は引き戸から開き戸（以後、ドアと記述）が多く使用されるようになってきた。
【０００３】
また、生活環境の質の向上から冷・暖房設備が普及すると同時に、壁内のみならず天井・床下にも断熱材を敷設し、さらに断熱効果を得るため乾燥空気等を充填した二重構造の窓を採用するなど室内住空間の快適性が求められている。
【０００４】
このため、一般家庭用建築家屋のドアにもその上部にばね式又は空気式のドアを自動的に閉じるドアクローザーを採用し、常にドアをキチンと閉じるような構造にしている例が散見される。
【特許文献１】特開平１０−２９２７２０号公報
【考案の開示】
【考案が解決しようとする課題】
【０００５】
しかし、前記ばね式又は空気式のドアクローザーは、素人では取り付け、調整が困難で、かつ特殊工具が必要である。また、ドアの開閉に相当の力を要し、老人や子供には容易に開閉できないだけでなく、出入り時には強力にドアを閉じようとする力が働くため、ドアに挟まれてしまう等危険な状況を生ずる恐れもあった。
【０００６】
また、おもりの重力を応用したドアクローザーもあるが、おもりや紐が露出していたり、各種の大きさのドアに対応でき、さらに閉じるときの力を調整できるものが開発されていないなどの問題があった。
【課題を解決するための手段】
【０００７】
本願考案者は、上記に鑑み鋭意研究の結果、次の手段によりこの課題を解決した。
（１）先端におもりを付けた紐をドアに隣接する壁面に垂設し、同紐の他端側をドア上部の壁側に取り付けられた滑車部を介してドアの自由端上部に取り付けられた金具に係着し、前記おもりの重力でドアを常に閉じ方向へ牽引するドアクローザーにおいて、
前記おもりが、前記壁面に固定して垂設された筒状のガイドパイプ内で上下昇降自在に垂下されてなることを特徴とする重力応用式ドアクローザー。
【０００８】
（２）前記おもりが、１又は複数個のおもりを組み合わせて構成されてなることを特徴とする前項（１）に記載の重力応用式ドアクローザー。
【０００９】
（３）複数個の前記おもりが、それぞれおもり同士が螺着されてなることを特徴とする前項（１）又は（２）に記載の重力応用式ドアクローザー。
【００１０】
（４）前記おもりが、その雌ねじ面にドライバ用溝が設けられてなることを特徴とする前項（１）〜（３）のいずれか１項に記載の重力応用式ドアクローザー。
【考案の効果】
【００１１】
本願発明によれば、次のような効果が発揮される。
１．本願考案の請求項１の発明によれば、
前記おもりが、前記壁面に固定して垂設された筒状のガイドパイプ内で上下昇降自在に垂下されているので、不用意に紐又はおもりに手が触れて紐が切れおもりが足もとに落下したり、子供のいたずらから防御でき、また、道具や家具等が近辺に立てかけられてもガイドパイプにより守られスムースにおもりが作動し初期の目的を達することができる。
【００１２】
さらに、ドアクローザーとして、ばね式、空気式等があるが、ドアの開閉に相当の力を要し、老人や子供には容易に開閉できないだけでなく、出入り時には強力にドアを閉じようとする力が働くため、ドアに挟まれてしまう等危険な状況を生ずる恐れもあったが、本願考案によれば、開閉の開始からその終了まで一定の力で閉じる力が作用し、かつ静かに開閉できるため危険が少ない。
【００１３】
さらにまた、安価で、かつ構造が簡単で、特殊工具が不要なため素人にも簡単に取り付けることができる。
【００１４】
２．本願考案の請求項２の発明によれば、
前記請求項１の効果に加えて、前記おもりが、１又は複数個のおもりを組み合わせて構成されているので、おもりの数を選択することによりあらゆるドアの大きさに対する作動力に対応することができると同時に、ドアを閉じるときのスピードを調整できる。
【００１５】
３．本願考案の請求項３の発明によれば、
前記請求項１及び２の効果に加えて、複数個の前記おもりが、それぞれおもり同士が螺着される構造なので、紐を引き上げておもりを簡単に着脱でき、交換作業が容易である。
【００１６】
４．本願考案の請求項４の発明によれば、
前記請求項１〜３の効果に加えて、前記おもりが、その雌ねじ面にドライバ用溝が設けられているので、ドライバ又はコイン等で容易に着脱でき、専用工具等を必要としない。
【考案を実施するための最良の形態】
【００１７】
本願考案を実施するための最良の形態を実施例図に基づいて説明する。図１は本願考案実施例のドアクローザーを装着したドアの斜視図、図２は同考案実施例のおもりの外観図である。
【００１８】
図１において、壁３側に取り付けバンド９によって取り付けられた筒状のガイドパイプ８内で上下昇降自在に垂下され先端におもり７を付けた紐６と、この紐６を引き回すためのドア２上部の壁３側に取り付けられた縦方向に回転する滑車４ａ及びドア２の開閉時に紐６が追従するように横方向に回転する滑車４ｂで構成する滑車部４と、該滑車部４を介してドア２の自由端上部に取り付けられた紐６を係着する金具５とを備え、前記おもり７の重力を応用してドア２を常に閉じ方向へ牽引するドアクローザー１を構成している。
【００１９】
図２において、前記おもり７は、１又は複数個のおもり７を組み合わせて構成されているが、最初の１個のおもり７は１００グラム程度が好ましく、２個目以降は５０グラム程度の重量として付加していけば、図１におけるドア２の大きさに対する作動力や、ドア２の閉じるときのスピードを調整できる。
【００２０】
複数個の前記おもり７は、その最上部には紐６を係着する吊り下げリング１０を備え、それぞれのおもり７同士を螺着するため、最上部のおもり７ａには雌ねじ１１を切っておき、それ以降の下側になるおもり７ｂ、７ｃは、おもり７の上側は雄ねじ１２とし、下側は雌ねじ１１とすることが好ましい。
【００２１】
さらに、その雌ねじ１１面にドライバ又はコイン幅の溝１３を設けておけば、おもり７同士を螺着する場合に特殊な工具を使用することなく、マイナスドライバ又はコインで複数のおもり７を積み重ね組み立てることができる。
【００２２】
前記おもり７の材料は比重の大きい鉛を用いることが好ましく、その結果おもり７を小型化でき、かつガイドパイプ８も細い形状として目立たなくすることができると同時に材料費低減が可能になる。
【産業上の利用可能性】
【００２３】
壁側に取り付けられた筒状のガイドパイプ内でおもりが上下昇降自在に垂下されているので、不用意に紐又はおもりに手が触れて紐が切れおもりが足もとに落下したり、子供のいたずらから防御でき、また、道具や家具等が近辺に立てかけられてもガイドパイプにより守られスムースにおもりが作動するなど、住環境に優しく、簡単で安価なドアクローザーを提供できるので、住宅産業に利用できる。
【図面の簡単な説明】
【００２４】
【図１】本願考案実施例のドアクローザーを装着したドアの斜視図。
【図２】同考案実施例のおもりの外観図。
【符号の説明】
【００２５】
１：ドアクローザー
２：ドア
３：壁
４：滑車部
４ａ、４ｂ：滑車
５：金具
６：紐
７：おもり
７ａ、７ｂ、７ｃ：おもり
８：ガイドパイプ
９：取り付けバンド
１０：吊り下げリング
１１：雌ねじ
１２：雄ねじ
１３：溝
【図１】
0003108694.tif 000003
【図２】
0003108694.tif 000004